(57)【特許請求の範囲】
【請求項１】
モータの駆動によりホイールシリンダにブレーキフルードを供給し、ホイールシリンダ圧を加圧するポンプと、
ホイールシリンダ内のブレーキフルードの排出を制御する制御弁と、
ホイールシリンダ圧を検出する液圧センサと、
前記ポンプおよび前記制御弁を制御し、ホイールシリンダ圧の目標液圧および前記液圧センサにより検出されたホイールシリンダ圧にもとづいて前記制御弁による圧損量を算出し、前記圧損量と前記ポンプの吐出流量にもとづいてブレーキフルードの温度を推定して算出する制御手段と、を備えることを特徴とするブレーキ制御装置。
【請求項２】
前記制御手段は、ブレーキフルードの温度に応じて前記制御弁を通電制御するための制御ゲインを決定することを特徴とする請求項１に記載のブレーキ制御装置。
【請求項３】
前記制御手段は、前記ポンプの吐出流量および前記制御弁のオリフィス径にもとづく評価関数によって推定した複数のブレーキフルードの温度のいずれかを選択し、選択したブレーキフルードの温度をもとにブレーキフルードの温度を決定することを特徴とする請求項１または２に記載のブレーキ制御装置。
【請求項４】
前記制御手段は、前記評価関数によって選択した２つのブレーキフルードの温度の差が所定温度以上であれば、選択されなかったブレーキフルードの温度にもとづいて、選択した２つのブレーキフルードの温度のどちらかをブレーキフルードの温度に決定することを特徴とする請求項３に記載のブレーキ制御装置。
【請求項５】
前記制御手段は、推定した複数のブレーキフルードの温度のうち最大の温度と最小の温度を除いた温度を用いてブレーキフルードの温度を決定することを特徴とする請求項１〜４のいずれかに記載のブレーキ制御装置。
【請求項６】
前記制御手段は、所定値以上のモータ回転数で前記モータを駆動して取得した前記ポンプの吐出流量および前記液圧センサにより検出されたホイールシリンダ圧にもとづいて、ブレーキフルードの温度を算出することを特徴とする請求項１〜５のいずれかに記載のブレーキ制御装置。
【請求項７】
前記制御手段は、モータ回転数が所定値に達するまで、モータ回転数を漸増することを特徴とする請求項６に記載のブレーキ制御装置。
【請求項８】
前記制御手段は、ブレーキフルードの温度を算出するときに、駆動している前記モータが外気温に応じた上限回転数に達した場合、前記モータの駆動を停止することを特徴とする請求項１〜７のいずれかに記載のブレーキ制御装置。
【請求項９】
前記制御手段は、ブレーキフルードの温度を算出するときの前記モータを駆動する時間が所定時間を経過すると、前記モータの駆動を停止することを特徴とする請求項１〜８のいずれかに記載のブレーキ制御装置。
【請求項１０】
前記モータは、ブレーキペダルに対する操作に応じて駆動し、
前記制御手段は、ブレーキペダルに対する操作がオンからオフに切り替わったときに、ブレーキフルードの温度の算出を開始することを特徴とする請求項１〜９のいずれかに記載のブレーキ制御装置。
【請求項１１】
前記制御手段は、ブレーキフルードの温度の算出の開始時に設定するモータ回転数を、前回実行したブレーキフルードの温度の算出の開始時に設定されたモータ回転数より大きく設定することを特徴とする請求項１〜１０のいずれかに記載のブレーキ制御装置。
【発明の詳細な説明】
【技術分野】
【０００１】
本発明は、車輪に制動力を付与するブレーキ制御装置に関する。
【背景技術】
【０００２】
従来、ブレーキペダルの操作量に応じた液圧を液圧回路内に発生させ、各車輪のホイールシリンダにその液圧を供給することにより制動力を付与するブレーキ装置が知られている。ホイールシリンダの液圧は、液圧回路に設けられたポンプおよび電磁制御弁によりブレーキフルードが給排されることによって調整される。
【０００３】
特許文献１には、ブレーキブースタ負圧制御装置において、低温時にのみ大きなブースタ負圧をブレーキブースタの負圧室に与えることが開示されている。
【先行技術文献】
【特許文献】
【０００４】
【特許文献１】特開平１１−３４８７６５号公報
【発明の概要】
【発明が解決しようとする課題】
【０００５】
ブレーキフルードの温度に応じてブレーキフルードの粘度が変化し、ホイールシリンダに液圧を伝達する応答性が変化しうる。そのため、液圧伝達の応答性の変化に対応すべく、ブレーキフルードの温度を取得することが所望される。特許文献１に記載の技術的思想においては、ブレーキオイルが低温かどうかを判定するため、ブレーキオイルの温度を検出するための温度センサが別途必要であり、コストが嵩む。
【０００６】
本発明はこうした状況に鑑みてなされたものであり、その目的とするところは、コストを抑え、ブレーキフルードの温度を算出できるブレーキ制御装置を提供することにある。
【課題を解決するための手段】
【０００７】
上記課題を解決するために、本発明のある態様のブレーキ制御装置は、モータの駆動によりホイールシリンダにブレーキフルードを供給し、ホイールシリンダ圧を加圧するポンプと、ホイールシリンダ内のブレーキフルードの排出を制御する制御弁と、ホイールシリンダ圧を検出する液圧センサと、ポンプおよび制御弁を制御し、ホイールシリンダ圧の目標液圧および液圧センサにより検出されたホイールシリンダ圧にもとづいて制御弁による圧損量を算出し、圧損量と前記ポンプの吐出流量にもとづいてブレーキフルードの温度を推定して算出する制御手段と、を備える。
【０００８】
この態様によると、ブレーキフルードの温度を直接検出する温度センサを設けることなく、ブレーキフルードの温度を算出することができる。また、圧損量と吐出流量をもとにブレーキフルードの温度を推定できる。
【０００９】
制御手段は、ブレーキフルードの温度に応じて制御弁を通電制御するための制御ゲインを決定してもよい。これにより、ブレーキフルードの温度に応じたブレーキフルードの粘度の変化に対応して制御弁の通電制御を実行できる。
【００１１】
制御手段は、ポンプの吐出流量および制御弁のオリフィス径にもとづく評価関数によって推定した複数のブレーキフルードの温度のいずれかを選択し、選択したブレーキフルードの温度をもとにブレーキフルードの温度を決定してもよい。これにより、各輪について推定されたブレーキフルードの温度のうち、どの温度が信頼性が高いかどうか評価することができる。
【００１２】
制御手段は、評価関数によって選択した２つのブレーキフルードの温度の差が所定温度以上であれば、選択されなかったブレーキフルードの温度にもとづいて、選択した２つのブレーキフルードの温度のどちらかをブレーキフルードの温度に決定してもよい。これにより、一層精度良くブレーキフルードの温度を算出できる。
【００１３】
制御手段は、推定した複数のブレーキフルードの温度のうち最大の温度と最小の温度を除いた温度を用いてブレーキフルードの温度を決定してもよい。これにより、外乱の影響を大きく受けた可能性のある推定したブレーキフルードの温度を除いて、精度良くブレーキフルードの温度を算出することができる。
【００１４】
制御手段は、所定値以上のモータ回転数でモータを駆動して取得したポンプの吐出流量および液圧センサにより検出されたホイールシリンダ圧にもとづいて、ブレーキフルードの温度を算出してもよい。これにより、ポンプの吐出流量を大きくした状態で圧損量を算出するためのホイールシリンダ圧を取得することができる。
【００１５】
制御手段は、モータ回転数が所定値に達するまで、モータ回転数を漸増してもよい。これにより、圧損によって制動力が急に発生することを抑えることができる。
【００１６】
制御手段は、ブレーキフルードの温度を算出するときに、駆動しているモータが外気温に応じた上限回転数に達した場合、モータの駆動を停止してもよい。これにより、モータ回転数が大きくなりすぎることを抑え、圧損により発生する制動力を低減することができる。
【００１７】
制御手段は、ブレーキフルードの温度を算出するときのモータを駆動する時間が所定時間を経過すると、モータの駆動を停止してもよい。これにより、ブレーキフルードの温度を算出する処理に過度の時間がかかることを防ぐことができる。
【００１８】
モータは、ブレーキペダルに対する操作に応じて駆動し、制御手段は、ブレーキペダルに対する操作がオンからオフに切り替わったときに、ブレーキフルードの温度の算出を開始してもよい。これにより、運転者が制動制御を実行後、そのままブレーキフルードの温度の算出をすることができ、算出時に生じるモータの作動音および圧損により生じる制動力を目立たなくすることができる。
【００１９】
制御手段は、ブレーキフルードの温度の算出の開始時に設定するモータ回転数を、前回実行したブレーキフルードの温度の算出の開始時に設定されたモータ回転数より大きく設定してもよい。これにより、たとえば時間などの制限により所望の圧損量が得られなかった場合において、次回のブレーキフルードの温度の算出時に所望の圧損量が得られる可能性が高くなる。
【発明の効果】
【００２０】
本発明によれば、ブレーキ制御装置において、コストを抑え、ブレーキフルードの温度を算出できる。
【図面の簡単な説明】
【００２１】
【図１】実施形態に係るブレーキ制御装置の概略構成図である。
【図２】実施形態に係る液圧調整弁における圧損量を示す図である。
【図３】実施形態に係るポンプ吐出流量と圧損量とブレーキフルードの温度との関係を説明する図である。
【図４】実施形態に係る液圧調整弁の通電制御の制御ゲイン、目標液圧およびブレーキフルードの温度の関係を説明する図である。
【図５】実施形態に係るブレーキフルードの温度推定処理を示すフローチャートである。
【発明を実施するための形態】
【００２２】
図１は、実施形態に係るブレーキ制御装置１００の概略構成図である。本図では右前輪−左後輪、左前輪−右後輪の各配管系統を備えるＸ配管の液圧回路を構成する車両に実施形態のブレーキ制御装置１００を適用した例について説明する。なお、図面の説明において同一の要素には同一の符号を付し、重複する説明を適宜省略する。
【００２３】
図１に示すように、ブレーキ制御装置１００は、ブレーキペダル１、ストロークセンサ２、マスタシリンダ３、ストローク制御弁３０、ストロークシミュレータ４、ブレーキ液圧制御用アクチュエータ５、ホイールシリンダ６ＦＬ、６ＦＲ、６ＲＬ、６ＲＲ（以下、特に区別しない場合は、「ホイールシリンダ６」という）を備える。また、ブレーキ制御装置１００は、ブレーキ制御装置１００の各部の動作を制御する制御部としてのブレーキＥＣＵ２００を備えている。ブレーキ制御装置１００は、液圧回路を介したホイールシリンダ６へのブレーキフルードの供給によりホイールシリンダ６に液圧（「ホイールシリンダ圧」という）を供給し、当該液圧により車輪に制動力を付与する。各ホイールシリンダ６は、ブレーキディスク（不図示）とブレーキキャリパ（不図示）にそれぞれ内蔵されていてよく、ホイールシリンダとブレーキディスクとブレーキキャリパとを含んでディスクブレーキユニットという。
【００２４】
ドライバによってブレーキペダル１が踏み込まれると、ブレーキペダル１の操作量としてのペダルストロークがストロークセンサ２に入力され、ペダルストロークに応じた検出信号がストロークセンサ２から出力される。この検出信号はブレーキＥＣＵ２００に入力され、ブレーキＥＣＵ２００でブレーキペダル１のペダルストロークが検出される。なお、ここではブレーキ操作部材の操作量を検出するための操作量センサとしてストロークセンサ２を例に挙げているが、ブレーキペダル１に加えられる踏力を検知する踏力センサ等であってもよい。
【００２５】
ブレーキペダル１には、ペダルストロークをマスタシリンダ３に伝達するプッシュロッド等が接続されており、このプッシュロッド等が押されることでマスタシリンダ３に備えられているプライマリ室３ａおよびセカンダリ室３ｂにマスタシリンダ圧が発生させられるようになっている。
【００２６】
マスタシリンダ３には、プライマリ室３ａとセカンダリ室３ｂを構成するプライマリピストン３ｃおよびセカンダリピストン３ｄが備えられている。プライマリピストン３ｃおよびセカンダリピストン３ｄは、スプリング３ｅの弾性力を受けることで、ブレーキペダル１が踏み込まれていないときには各ピストン３ｃ、３ｄが押圧されてブレーキペダル１を初期位置側に戻るように構成されている。
【００２７】
マスタシリンダ３のプライマリ室３ａとセカンダリ室３ｂには、それぞれブレーキ液圧制御用アクチュエータ５に向けて延びる管路Ｂ、管路Ａが連結されている。
【００２８】
また、マスタシリンダ３には、リザーバタンク３ｆが備えられている。リザーバタンク３ｆは、ブレーキペダル１が初期位置のときに、プライマリ室３ａおよびセカンダリ室３ｂのそれぞれと図示しない通路を介して接続されるもので、マスタシリンダ３内にブレーキフルードを供給したり、マスタシリンダ３内の余剰ブレーキフルードを貯留する。リザーバタンク３ｆには、ブレーキ液圧制御用アクチュエータ５に向けて延びる管路Ｃ、管路Ｄが連結されている。
【００２９】
ストロークシミュレータ４は、管路Ａにつながる管路Ｅに接続されており、セカンダリ室３ｂ内のブレーキフルードを収容する役割を果たす。管路Ｅには、管路Ｅの連通・遮断状態を制御できる常閉型の二位置弁により構成されたストローク制御弁３０が備えられ、ストローク制御弁３０により、ストロークシミュレータ４へのブレーキフルードの流動が制御できるように構成されている。
【００３０】
ブレーキ液圧制御用アクチュエータ５には、マスタシリンダ３のセカンダリ室３ｂと前輪ＦＲに対応するホイールシリンダ６ＦＲを接続するように、管路Ａに連結された管路Ｆが備えられている。管路Ｆには、遮断弁３６が備えられている。遮断弁３６は、非通電時には開状態（連通状態）、通電時には閉状態（遮断状態）となる二位置弁であり、遮断弁３６によって管路Ｆの連通・遮断状態が制御され、これにより管路Ａ、Ｆを介したホイールシリンダ６ＦＲへのブレーキフルードの供給が制御される。
【００３１】
また、ブレーキ液圧制御用アクチュエータ５には、マスタシリンダ３のプライマリ室３ａと前輪ＦＬに対応するホイールシリンダ６ＦＬを接続するように、管路Ｂに連結された管路Ｇが備えられている。管路Ｇには、遮断弁３７が備えられている。遮断弁３７は、非通電時には開状態、通電時には閉状態となる二位置弁であり、遮断弁３７によって管路Ｇの連通・遮断状態が制御され、これにより管路Ｂ、Ｇを介したホイールシリンダ６ＦＬへのブレーキフルードの供給が制御される。
【００３２】
また、ブレーキ液圧制御用アクチュエータ５には、リザーバタンク３ｆから延設された管路Ｃに接続された管路Ｈと、管路Ｄに接続された管路Ｉが設けられている。管路Ｈは、管路Ｈ１、Ｈ２という２本の管路に分岐して、それぞれホイールシリンダ６ＦＲ、６ＲＬに接続されている。また、管路Ｉは、管路Ｉ３、Ｉ４という２本の管路に分岐して、それぞれホイールシリンダ６ＦＬ、６ＲＲに接続されている。ホイールシリンダ６ＲＬおよびホイールシリンダ６ＲＲは、それぞれ後輪ＲＬ、後輪ＲＲに対応している。
【００３３】
各管路Ｈ１、Ｈ２、Ｉ３、Ｉ４には、それぞれ１つずつポンプ７、８、９、１０が備えられている。各ポンプ７〜１０は、例えば静寂性に優れたトロコイドポンプにより構成されている。ポンプ７〜１０のうち、２つのポンプ７およびポンプ８は、第１モータ１１によって駆動され、２つのポンプ９およびポンプ１０は、第２モータ１２によって駆動される。第１モータ１１および第２モータ１２は、ブレーキペダル１に対する操作に応じて駆動する。第１モータ１１および第２モータ１２（以下、これらをとくに区別しない場合、単にモータという）は、各ポンプ７〜１０を介して、駆動に応じて各ホイールシリンダ６にブレーキフルードを供給する。実施形態では、４つのポンプ７〜１０が液圧源として機能する。各ポンプ７〜１０は、液圧回路中に設けられ、接続された第１モータ１１または第２モータ１２の回転数に応じてホイールシリンダにブレーキフルードを供給する。すなわち、２つのポンプが１つのモータの駆動により作動され、２つのポンプのそれぞれには１つのホイールシリンダが接続されている。第１モータ１１および第２モータ１２に電力を供給するバッテリは共通であってよい。ポンプ７〜１０は、モータ１１、１２の駆動によりホイールシリンダ６にブレーキフルードを供給し、ホイールシリンダ圧を加圧する。
【００３４】
また、ポンプ７〜１０のそれぞれに、並列的に管路Ｊ１、Ｊ２、Ｊ３、Ｊ４が備えられている。ポンプ７に対して並列的に接続された管路Ｊ１には、直列的に接続された連通弁３８と液圧調整弁３２が備えられている。連通弁３８および液圧調整弁３２は、連通弁３８がポンプ７の吸入ポート側（管路Ｊ１におけるブレーキフルード流動方向の下流側）に、液圧調整弁３２がポンプ７の吐出ポート側（管路Ｊ１におけるブレーキフルード流動方向の上流側）にそれぞれ位置するように配置されている。つまり、連通弁３８によってリザーバタンク３ｆと液圧調整弁３２との間の連通・遮断を制御できる構成とされている。連通弁３８は、非通電時には閉状態、通電時には開状態となる二位置弁であり、液圧調整弁３２は、非通電時には開状態、通電時には閉状態で、通電制御により弁の開度が調整される常開型のリニア弁である。
【００３５】
ここで、液圧調整弁３２には以下に示す力が作用する。液圧調整弁３２のリニアソレノイドへの通電電流に応じた電磁駆動力をＦ１とし、スプリングの付勢力をＦ２とし、液圧調整弁３２の出入口間の差圧に応じた差圧作用力をＦ３とし、ソレノイドの摺動に対する摩擦力Ｆ４とすると、Ｆ１＝Ｆ２＋Ｆ３＋Ｆ４という関係が成立して、液圧調整弁３２の開度は、｛（Ｆ２＋Ｆ３＋Ｆ４）−Ｆ１｝の値に依存する。つまり、電磁駆動力Ｆ１が大きくなるにつれて、弁の開度が小さくなる。
【００３６】
次に、液圧調整弁３２には以下に示す閉弁電流特性がある。閉弁電流とは、弁を開いた状態から閉じるときの弁への通電電流値をいう。閉弁電流特性とは、閉弁電流とホイールシリンダ圧の関係を示す特性をいい、閉弁電流特性は、閉弁電流がホイールシリンダ圧に対してリニアに比例する一次関数である。液圧調整弁３２の作動液は、ホイールシリンダ６ＦＲから下流側の連通弁３８方向へ排出される。常開型のリニア弁において、液圧調整弁３２の通電電流が増加されるにつれて弁の開度が小さくなり、液圧調整弁３２の流量は減少する。そして、通電電流が閉弁電流に達したときに液圧調整弁３２は閉弁し、液圧調整弁３２の流量はゼロとなる。
【００３７】
ポンプ８に対して並列的に接続された管路Ｊ２には、液圧調整弁３３が備えられている。液圧調整弁３３は、液圧調整弁３２と同様にリニア弁である。常開型のリニア弁である液圧調整弁３３〜３５も液圧調整弁３２と同様に機能する。なお、以下において液圧調整弁３２〜３５をとくに区別しない場合、単に「液圧調整弁」という場合があり、連通弁３８および連通弁３９をとくに区別しない場合、単に「連通弁」という場合がある。
【００３８】
ポンプ９に対して並列的に接続された管路Ｊ３には、直列的に接続された連通弁３９と液圧調整弁３５が備えられている。連通弁３９および液圧調整弁３５は、連通弁３９がポンプ９の吸入ポート側（管路Ｊ３におけるブレーキフルード流動方向の下流側）に、液圧調整弁３５がポンプ９の吐出ポート側（管路Ｊ３におけるブレーキフルード流動方向の上流側）にそれぞれ位置するように配置されている。つまり、連通弁３９によってリザーバタンク３ｆと液圧調整弁３５との間の連通・遮断を制御できる構成とされている。連通弁３９は、非通電時には閉状態、通電時には開状態となる二位置弁であり、液圧調整弁３５は、非通電時には開状態、通電時には閉状態で、通電制御により弁の開度が調整されるリニア弁である。液圧調整弁３５は、通電制御により開度が調整されて、ホイールシリンダ６ＦＬのブレーキフルード量を調整する。液圧調整弁および連通弁は、通電制御によりホイールシリンダ６内のブレーキフルードの排出を制御する。
【００３９】
ポンプ１０に対して並列的に接続された管路Ｊ４には、液圧調整弁３４が備えられている。液圧調整弁３４は、液圧調整弁３５と同様にリニア弁である。
【００４０】
そして、管路Ｊ１〜Ｊ４における各ポンプ７〜１０と各ホイールシリンダ６ＦＲ、６ＦＬ、６ＲＲ、６ＲＬとの間には、液圧センサ１３、１４、１５、１６が配置されており、各ホイールシリンダ６ＦＲ、６ＦＬ、６ＲＲ、６ＲＬにおける液圧を検出できるように構成されている。また、管路Ｆ、Ｇにおける遮断弁３６、３７よりも上流側（マスタシリンダ３側）にも液圧センサ１７、１８が配置されており、マスタシリンダ３のプライマリ室３ａとセカンダリ室３ｂに発生しているマスタシリンダ圧を検出できるように構成されている。
【００４１】
さらに、ホイールシリンダ６ＦＲを加圧するためのポンプ７の吐出ポートおよびホイールシリンダ６ＦＬを加圧するためのポンプ９の吐出ポートには、それぞれ、逆止弁２０、２１が備えられている。逆止弁２０、２１は、それぞれホイールシリンダ６ＦＲ、６ＦＬ側からポンプ７、９側へのブレーキフルードの流動を禁止するために備えられている。このような構造により、ブレーキ液圧制御用アクチュエータ５が構成されている。
【００４２】
上述の構成を備えたブレーキ制御装置１００では、管路Ｃ、管路Ｈ、管路Ｈ１、管路Ｈ２を通じてリザーバタンク３ｆとホイールシリンダ６ＦＲ、６ＲＬをつなぐ回路と、ポンプ７、８に並列的に接続された管路Ｊ１、Ｊ２の回路とを含む液圧回路と、管路Ａ、管路Ｆを通じてセカンダリ室３ｂとホイールシリンダ６ＦＲをつなぐ液圧回路とが、第１配管系統を構成している。
【００４３】
また、管路Ｄ、管路Ｉ、管路Ｉ３、管路Ｉ４を通じてリザーバタンク３ｆとホイールシリンダ６ＦＬ、６ＲＲをつなぐ回路と、ポンプ９、１０に並列的に接続された管路Ｊ３、Ｊ４の回路とを含む液圧回路と、管路Ｂ、管路Ｇを通じてプライマリ室３ａとホイールシリンダ６ＦＬをつなぐ液圧回路とが、第２配管系統を構成している。
【００４４】
そして、ストロークセンサ２や各液圧センサ１３〜１８の検出信号がブレーキＥＣＵ２００に入力され、これら各検出信号から求められるペダルストロークやホイールシリンダの液圧およびマスタシリンダ圧に基づいて、ストローク制御弁３０、遮断弁３６、３７、連通弁３８、３９、および液圧調整弁３２〜３５や、第１モータ１１、第２モータ１２を駆動するための制御信号がブレーキＥＣＵ２００から出力されるようになっている。
【００４５】
通常時には、ブレーキペダル１が踏み込まれ、ストロークセンサ２および液圧センサ１７，１８の検出信号がブレーキＥＣＵ２００に入力されると、ブレーキＥＣＵ２００は各電磁制御弁３０、３２〜３９や、第１モータ１１、第２モータ１２を制御して、次のような状態にする。すなわち、遮断弁３６および遮断弁３７への通電は共にＯＮされ、連通弁３８および連通弁３９への通電も共にＯＮされる。これにより、遮断弁３６および遮断弁３７は遮断状態、連通弁３８および連通弁３９は連通状態とされる。
【００４６】
また、液圧調整弁３２〜３５は、通電電流値に応じて弁の開度が調整される。ストローク制御弁３０は、通電がＯＮされる。このため、管路Ａ、Ｅを通じて、ストロークシミュレータ４がセカンダリ室３ｂと連通状態となり、ブレーキペダル１が踏み込まれたときに、各ピストン３ｃ、３ｄが移動しても、セカンダリ室３ｂ内のブレーキフルードがストロークシミュレータ４に移動することになる。したがって、マスタシリンダ圧が高圧になることでブレーキペダル１に対して硬い板を踏み込むような感覚が発生することなく、ブレーキペダル１を踏み込めるようになっている。
【００４７】
さらに、第１モータ１１および第２モータ１２への通電が共にＯＮされ、ポンプ７〜１０から電磁制御弁を介さないでホイールシリンダ６へのブレーキフルードの吐出が行われる。すなわち、ポンプ７〜１０によるポンプ動作が行われると、各ホイールシリンダ６に対してブレーキフルードが供給される。
【００４８】
ブレーキＥＣＵ２００により第１モータ１１および第２モータ１２のモータ回転数が制御されることで、ホイールシリンダ６へのブレーキフルードの供給量が制御される。このとき、遮断弁３６および遮断弁３７が遮断状態とされているため、ポンプ７〜１０の下流側の液圧、つまり各ホイールシリンダ６へのブレーキフルードの供給量が増加する。そして、連通弁３８および連通弁３９が連通状態とされ、かつ、液圧調整弁３２〜３５の開度がそれぞれ制御されているため、開度に応じてブレーキフルードが排出され、各ホイールシリンダ６の液圧が調整される。
【００４９】
ブレーキＥＣＵ２００は、各液圧センサ１３〜１６の検出信号に基づいて各ホイールシリンダ６に供給されている液圧をモニタリングし、液圧調整弁３２〜３５への通電電流値を制御することで、各ホイールシリンダ６の液圧が所望の値となるようにする。これにより、ブレーキペダル１のペダルストロークに応じた制動力が発生させられることになる。以上のようにして、実施形態のブレーキ制御装置１００のブレーキ制御が行われる。
【００５０】
実施形態に係るブレーキ制御装置１００は、制動時に、ポンプ７〜１０を駆動してブレーキフルードを供給しつつ、液圧調整弁を開弁しながら弁の開度を調節してブレーキフルードを排出する漏らし制御を実行する。つまり、制動中の漏らし制御では、ブレーキフルードが継続的に供給および排出される。
【００５１】
このブレーキフルードはブレーキフルードの温度に応じて粘度が変化する特性を有する。ブレーキフルードの粘度が変化すれば、ホイールシリンダ６に液圧を伝達する応答性が変化しうる。そこで、実施形態に係るブレーキＥＣＵ２００は、ブレーキフルードの温度に応じて制御弁を通電制御するための制御ゲインを決定する。これにより、ブレーキフルードの温度に応じた液圧伝達の変化に対応することができる。
【００５２】
ブレーキフルードの温度を計測する温度センサを別途に設けるにはコストがかかる。そこで、実施形態に係るブレーキＥＣＵ２００は、ポンプおよび制御弁の制御に加えて、液圧センサにより検出されたホイールシリンダ圧およびポンプの吐出流量にもとづいて、ブレーキフルードの温度を算出する。これにより、温度センサを用いることなくブレーキフルードの温度を算出することができる。
【００５３】
図２は、実施形態に係る液圧調整弁における圧損量を示す図である。本図の縦軸はホイールシリンダ圧を示し、横軸は時間を示す。また本図の一点鎖線は目標液圧８１を示し、実線はその目標液圧に制御されたホイールシリンダ圧８０を示す。
【００５４】
ホイールシリンダ圧８０は、目標液圧８１に近づくように制御されるが、ある程度まで目標液圧８１に近づくとそれ以上に近づかない。これは、液圧調整弁および連通弁（以下、液圧調整弁および連通弁を単に「制御弁」という場合がある）のオリフィスによって生じた圧損により、その圧損分が液圧としてホイールシリンダ内に残るためである。
【００５５】
したがって、制御弁のオリフィスにより生じた圧損量は、ホイールシリンダ圧８０と目標液圧８１との差８２である。なお、圧損量を算出する際のホイールシリンダ圧８０は、目標液圧８１が設定されてから数秒経過し、一定の状態であることが好ましい。
【００５６】
制御弁は、弁子が弁座に着座または離間することによりブレーキフルードの流通を遮断または連通するものであり、制御弁のオリフィスは、この弁座および弁座に設けられた孔である。また、前輪側にはそれぞれ２つの制御弁が設けられており、前輪の制御弁のオリフィスとは、液圧調整弁のオリフィスと連通弁のオリフィスとの合算したオリフィスをいう。また、圧損は配管の内壁によっても生じるが、その圧損量は制御弁のオリフィスでの圧損量と比べて非常に小さい。
【００５７】
図３は、実施形態に係るポンプ吐出流量と圧損量とブレーキフルードの温度との関係を示す図である。本図の縦軸は圧損量を示し、横軸はポンプ吐出流量を示す。なお、ポンプ吐出流量は、モータ回転数に応じて定まる値である。
【００５８】
本図に示す特性８３〜８５は、それぞれブレーキフルードの温度が一定である場合のポンプ流量と圧損量との関係を示す。ブレーキフルードの温度は、特性８３、特性８４、特性８５の順に高くなっている。
【００５９】
本図に示すように、制御弁による圧損量は、ポンプ吐出流量の上昇とともに大きくなる。また、制御弁による圧損量が大きければ、ブレーキフルードの粘度が高いためブレーキフルードの温度が低くなっている。ポンプ吐出流量が大きくなれば、ブレーキフルードの温度に応じた制御弁による圧損量の差が大きくなり、精度良くブレーキフルードの温度を算出することができる。
【００６０】
本図では２次元で示したが、ブレーキＥＣＵ２００は、ポンプ吐出流量と圧損量とブレーキフルードの温度との関係を示す３次元マップを保持してよい。このマップを用いて、ブレーキＥＣＵ２００は、ポンプ吐出流量および圧損量にもとづいてブレーキフルードの温度を算出する。
【００６１】
具体的には、ブレーキＥＣＵ２００は、各輪それぞれについて制御弁による圧損量およびポンプ吐出流量を算出する。制御弁による圧損量は、液圧センサ１３〜１６により検出されたホイールシリンダ圧から目標液圧を減算した差として算出される。液圧センサ１３〜１６によりホイールシリンダ圧を検出するとき、制御弁は全開で開弁した状態であることが好ましい。ポンプ吐出流量は、モータ回転数に応じて算出される。
【００６２】
ブレーキＥＣＵ２００は、所定値以上のモータ回転数でモータを駆動して取得したポンプの吐出流量および液圧センサにより検出したホイールシリンダ圧にもとづいてブレーキフルードの温度を算出する。これは、図３に示すようにポンプ吐出流量が大きければポンプ吐出流量が小さい場合と比べて圧損量の差が大きいため、精度良くブレーキフルードの温度を算出できるからである。これにより、圧損量を算出するために必要なポンプ吐出流量を確保することができる。さらに、ブレーキＥＣＵ２００は、モータ回転数が所定値に達するまで、モータ回転数を徐々に漸増するよう制御する。これにより、最初から所定値以上のモータ回転数でモータを駆動する場合と比べて、圧損により不要な制動力が急に発生することを抑えることができ、運転者のブレーキフィーリングを良好にする。
【００６３】
また、ブレーキＥＣＵ２００は、所定量以上の圧損量を検出した場合に、モータ回転数を制限してよい。所定量は、温度の算出に用いることに適した量であり、実験等により設定される。これにより、不要にモータを駆動することを抑えることができる。
【００６４】
ブレーキＥＣＵ２００は、算出した制御弁による圧損量およびポンプ吐出流量から、マップを参照してブレーキフルードの温度を推定する。この推定したブレーキフルードの温度を、場合により推定温度という。推定温度は、各輪の圧損量を用いて４つ算出される。
【００６５】
ここで、各輪について算出した推定温度は、推定過程において液圧センサ１３〜１６の出力に電気ノイズが重畳されるなど、外乱の影響を受けることがある。そのため、推定した温度が実際の温度とは乖離することもありうる。
【００６６】
そこで、実施形態に係るブレーキＥＣＵ２００は、複数の制御弁に対して算出された４つの圧損量のうち相対的に大きいいずれかの圧損量にもとづいて、ブレーキフルードの温度を算出する。具体的に、ブレーキＥＣＵ２００は、算出された４つの圧損量のうち相対的に大きい２つの圧損量を選択し、選択したブレーキフルードの温度の平均値をブレーキフルードの温度に決定する。これにより、精度良くブレーキフルードの温度を算出できる。
【００６７】
また、ブレーキＥＣＵ２００は、複数の制御弁による圧損量にもとづいて推定した複数のブレーキフルードの温度のうち最大の温度と最小の温度を除いた２つの温度を用いて、その２つの温度の平均値をブレーキフルードの温度に決定してもよい。これにより外乱の影響を大きく受けた可能性のある推定温度を除くことができ、精度良くブレーキフルードの温度を算出することができる。
【００６８】
また、ブレーキＥＣＵ２００は、算出された圧損量を評価する評価関数を用いて、評価が高いかどうかによって、いずれの推定温度を用いるか選択してよい。具体的に、ブレーキＥＣＵ２００は、ポンプの吐出流量および制御弁のオリフィス径にもとづく評価関数によって推定温度のいずれかを選択し、選択した推定温度をもとにブレーキフルードの温度を決定してもよい。ここで、前輪の制御弁のオリフィス径は、液圧調整弁のオリフィス径および連通弁のオリフィス径を合算したものである。後輪の制御弁のオリフィス径は、前輪の制御弁のオリフィス径より評価関数の評価は高くなる。またポンプの吐出流量が大きければ、評価関数の評価は高くなる。評価関数を用いることで、精度良くブレーキフルードの温度を算出することができる。
【００６９】
さらに、ブレーキＥＣＵ２００は、評価関数によって選択した２つのブレーキフルードの温度の差が所定温度以上であれば、選択されなかったブレーキフルードの温度にもとづいて、選択したブレーキフルードの温度のどちらかをブレーキフルードの温度に決定する。具体的には、ブレーキＥＣＵ２００は、評価関数により２つの推定温度を選択し、その選択した２つの推定温度の差が所定温度以上であれば、選択した２つの推定温度のうち、選択されなかった推定温度の平均値に近い方をブレーキフルードの温度に決定する。たとえば、選択した推定温度にも外乱の影響を大きく受けている可能性があり、選択した２つの推定温度の差が所定温度以上であれば、どちらかが正確でないブレーキフルードの温度を示していることがある。そこで、評価関数では選択されなかったブレーキフルードの温度を用いて、どちらのブレーキフルードの温度が正確かどうか決定することで、精度良くブレーキフルードの温度を算出することができる。
【００７０】
図４は、実施形態に係る液圧調整弁の通電制御の制御ゲイン、目標液圧およびブレーキフルードの温度の関係を説明する図である。本図の縦軸は制御ゲインを示し、横軸は目標液圧を示す。特性８７および特性８８は、それぞれ一定の温度での制御ゲインおよび目標液圧の関係を示す。
【００７１】
本図では２次元で示したが、ブレーキＥＣＵ２００は、制御ゲイン、目標液圧およびブレーキフルードの温度の関係を示す３次元マップを保持してよい。このマップを用いて、ブレーキＥＣＵ２００は、制御ゲインを決定する。
【００７２】
本図に示すように、目標液圧が大きくなるにつれて液圧調整弁に加わる差圧が大きくなるため、制御ゲインは大きくなる。特性８８は特性８７より低温であり、特性８８は、相対的に高温の特性８７より制御ゲインが小さくなっている。これにより、低下した伝達応答性に対して液圧調整弁の制御ゲインを小さくすることで、制動時に弁をあまり開かないようにすることができ、液圧をホイールシリンダ６に残して安全なブレーキ制御ができる。なお、別の態様では、伝達応答性の低下に対して液圧調整弁の制御ゲインを大きくすることで、制動時に弁をすばやく閉じることができ、安全なブレーキ制御ができる。
【００７３】
図５は、実施形態に係るブレーキフルードの温度推定処理を示すフローチャートである。まず、ブレーキＥＣＵ２００は、車両に運転者が乗車したかどうか判定する（Ｓ１０）。たとえばブレーキＥＣＵ２００は、イグニッションスイッチがオンであれば、車両に運転者が乗車したと判定する。また、ブレーキＥＣＵ２００は、運転席のシートセンサの出力、または運転席のドアスイッチの出力にもとづいて運転者が乗車したかどうか判定してもよい。これにより、まず最初に車両の乗車直後にブレーキフルードの温度を算出することで、車両が発進する前に制御弁の制御ゲインを決定することができる。
【００７４】
運転者が乗車してなければ（Ｓ１０のＮ）、ブレーキＥＣＵ２００は乗車判定を繰り返す。運転者が乗車すれば（Ｓ１０のＹ）、ブレーキＥＣＵ２００は、ブレーキフルードの温度を算出する（Ｓ１２）。
【００７５】
ここで、ブレーキＥＣＵ２００は、所定の圧損量が取得できるまでモータ回転数を漸増させるが、駆動しているモータが外気温に応じた上限回転数に達した場合には、モータの駆動を停止してもよい。これにより、モータ回転数が大きくなりすぎることを抑えることができる。外気温には、ブレーキフルードの温度とある程度関連性があり、外気温が低ければブレーキフルードの粘度が高い可能性がある。ブレーキフルードの粘度が高ければ、モータ回転数をあまり大きくしなくても、温度算出に必要な大きさの圧損量を取得することができる。また、温度算出実行中の圧損により発生する制動力を低減できる。上限回転数は、外気温が高くなるにつれて大きくなるように設定される。なお、外気温検出センサに異常が生じた場合には、それ以降の温度算出を中止してもよい。
【００７６】
また、ブレーキＥＣＵ２００は、ブレーキフルードの温度を算出するときのモータを駆動する時間が所定時間を経過すると、モータの駆動を停止してもよい。これにより、モータ回転数を漸増させる場合に、温度算出に時間がかかり過ぎることを防止することができる。
【００７７】
ブレーキＥＣＵ２００は、ブレーキフルードの温度を算出をすることができたかどうか判定する（Ｓ１４）。ブレーキフルードの温度を算出できていなければ（Ｓ１４のＮ）、ブレーキＥＣＵ２００は、再度ブレーキフルードの温度を算出をする（Ｓ１２）。たとえば、モータ回転数が上限回転数に達した場合や、モータの駆動時間が所定時間を超えた場合には、温度算出ができないことがあり、温度算出を再度実行する。
【００７８】
ブレーキＥＣＵ２００は、ブレーキフルードの温度の算出の開始時に設定するモータ回転数を、前回実行したブレーキフルードの温度の算出の開始時に設定されたモータ回転数より大きく設定してよい。これにより、たとえばモータの駆動時間が所定時間を超えたことによって所望の圧損量が得られずに温度算出ができなかった場合に、再試行時に温度算出が所望の圧損量が得られる可能性を高めることができる。ブレーキＥＣＵ２００は、前回の温度算出開始時のモータ回転数を記憶し、その記憶したモータ回転数に所定の回転数を加算する。なお、別の態様として、ブレーキＥＣＵ２００は、前回の温度算出終了時のモータ回転数を記憶し、その記憶したモータ回転数に所定の回転数を減算してもよい。いずれにしても、今回の温度算出では、前回のモータ回転数より大きいモータ回転数で実行される。
【００７９】
ブレーキフルードの温度を算出できていれば（Ｓ１４のＹ）、ブレーキＥＣＵ２００は、算出したブレーキフルードの温度にもとづいて制御弁の制御ゲインを決定する（Ｓ１６）。そして、ブレーキＥＣＵ２００は、算出したブレーキフルードの温度が所定温度より高いかどうか判定する（Ｓ１８）。算出したブレーキフルードの温度が所定温度より高ければ（Ｓ１８のＹ）、ブレーキＥＣＵ２００は、本処理を終了する。これは、たとえば所定温度を１０℃に設定し、１０℃以上であれば、ブレーキフルードの粘度がそれほど高くないので、本処理を終えてもよいからである。
【００８０】
算出したブレーキフルードの温度が所定温度より高くなければ（Ｓ１８のＮ）、ブレーキＥＣＵ２００は、所定の再開条件を満たすかどうか判定する（Ｓ２０）。所定の再開条件は、前回の温度算出から１時間経過したかどうか、および、車速が所定速度以下であるかどうかを有してよい。たとえば所定速度を時速２０ｋｍに設定することで、ブレーキフィーリングに影響の少ない低速時に温度算出を実行することができる。なお、回生制動を実行する車両においては、エンジンが駆動しているかどうかを所定の再開条件に加えてよい。これにより、エンジンが停止している場合に温度算出を実行する場合と比べて、温度算出によるモータの作動音を目立たなくすることができる。また、車両が駆動したことでエンジンなどから熱がブレーキフルードに伝達されて、ブレーキフルードの温度が変化した場合に対応することができる。
【００８１】
さらに、所定の再開条件は、ブレーキペダル１に対する操作がオンからオフに切り替わったかどうかを有してよい。つまり、ブレーキＥＣＵ２００は、ブレーキペダル１に対する操作がオンからオフに切り替わったときに、ブレーキフルードの温度を算出する。これにより、たとえば運転者が制動制御を実行後、モータの駆動を停止することなく、温度算出を実行することも可能となる。これにより、新たにモータを駆動させる必要がなくなり、温度算出によるモータの作動音および圧損により生じる制動力を目立たなくすることができる。とくにブレーキＥＣＵ２００がモータ回転数を漸増する温度算出を実行する場合、モータの作動音が変化するため、その作動音が運転者に対して目立つことがある。その場合であっても、通常の制動制御時につづいて温度算出をすれば、モータの作動音が目立つことを少なくすることができる。
【００８２】
ブレーキＥＣＵ２００は、所定の再開条件が満たされなければ（Ｓ２０のＮ）、所定の再開条件を満たすかどうか判定を繰り返す。所定の再開条件が満たされていれば（Ｓ２０のＹ）、ブレーキＥＣＵ２００は、ブレーキフルードの温度を再度算出する（Ｓ１２）。以下、上述のステップを繰り返す。
【００８３】
以上のように、実施形態に係るブレーキ制御装置１００は、制御弁による圧損量に応じてブレーキフルードの温度を算出することができる。
【００８４】
本発明は上述の実施形態に限定されるものではなく、当業者の知識に基づいて各種の設計変更等の変形を実施形態に対して加えることも可能であり、そのような変形が加えられた実施形態も本発明の範囲に含まれうる。
【符号の説明】
【００８５】
Ａ，Ｂ，Ｃ，Ｄ，Ｅ，Ｆ，Ｇ，Ｈ，Ｈ１，Ｈ２，Ｉ，Ｉ３，Ｉ４，Ｊ１，Ｊ２，Ｊ３，Ｊ４，Ｋ，Ｌ，Ｍ，Ｎ  管路、  １  ブレーキペダル、  ２  ストロークセンサ、  ３  マスタシリンダ、  ３ａ  プライマリ室、  ３ｂ  セカンダリ室、  ３ｃ  プライマリピストン、  ３ｄ  セカンダリピストン、  ３ｅ  スプリング、  ３ｆ  リザーバタンク、  ４  ストロークシミュレータ、  ５  ブレーキ液圧制御用アクチュエータ、  ６ＦＬ，６ＦＲ，６ＲＬ，６ＲＲ  ホイールシリンダ、  ７，８，９，１０  ポンプ、  １１  第１モータ、  １２  第２モータ、  １３，１４，１５，１６，１７，１８  液圧センサ、  ２０，２１  逆止弁、  ３０  ストローク制御弁、  ３２，３３，３４，３５  液圧調整弁、  ３６，３７  遮断弁、  ３８，３９  連通弁、  １００  ブレーキ制御装置、  ２００  ブレーキＥＣＵ。
【図１】
0005530740.tif 000002
【図２】
0005530740.tif 000003
【図３】
0005530740.tif 000004
【図４】
0005530740.tif 000005
【図５】
0005530740.tif 000006